(57)【要約】【課題】電源の数及びリモコン受信部の数を最小限にした簡易な構成を実現し且つ待機電力を低減することのできる点灯装置及びそれを用いた照明装置を提供する。【解決手段】リモコン受信部４及び信号解読部５は、ＤＣ／ＤＣ変換回路２の出力電圧を受けて動作し、信号解読部５は、送信器ＲＣ１からの光源部３を消灯させる操作コマンドを含む無線信号を解読すると、ＤＣ／ＤＣ変換回路２の出力電圧を抑制するように指令する指令信号を出力制御回路２０に送信し、出力制御回路２０は、指令信号を受信すると、リモコン受信部４及び信号解読部５が動作可能な程度までＤＣ／ＤＣ変換回路２の出力電圧を抑制する。【選択図】図１
2014013698.tif 000002
【特許請求の範囲】
【請求項１】
主電源となる交流電源からの交流電圧を変換して直流電圧を出力する直流電源回路と、前記直流電源回路の出力電圧を変換して発光素子を有する光源部に直流電圧を供給するＤＣ／ＤＣ変換回路と、前記ＤＣ／ＤＣ変換回路の出力電圧を制御する出力制御回路と、送信器からの前記光源部の点灯又は消灯を指示する操作コマンドを含む無線信号を受信するリモコン受信部と、受信した前記無線信号を解読する信号解読部とを備え、
前記リモコン受信部及び前記信号解読部は、前記ＤＣ／ＤＣ変換回路の出力電圧を受けて動作し、
前記信号解読部は、前記光源部を消灯させる操作コマンドを含む前記無線信号を解読すると、前記ＤＣ／ＤＣ変換回路の出力電圧を抑制するように指令する指令信号を作成して前記出力制御回路に送信し、
前記出力制御回路は、前記指令信号を受信すると、前記リモコン受信部及び前記信号解読部が動作可能な程度まで前記ＤＣ／ＤＣ変換回路の出力電圧を抑制することを特徴とする点灯装置。
【請求項２】
前記出力制御回路は、前記指令信号を受信すると、前記各発光素子が点灯状態を維持可能な電圧よりも小さい電圧を前記光源部に供給するように前記ＤＣ／ＤＣ変換回路の出力電圧を抑制することを特徴とする請求項１記載の点灯装置。
【請求項３】
前記各発光素子は発光ダイオードであって、前記出力制御回路は、前記指令信号を受信すると、前記各発光素子のオン電圧の和の６０％よりも小さくなるように前記ＤＣ／ＤＣ変換回路の出力電圧を抑制することを特徴とする請求項２記載の点灯装置。
【請求項４】
前記ＤＣ／ＤＣ変換回路と前記光源部との間に直列に接続するスイッチ要素を備え、前記信号解読部は、前記光源部を消灯させる操作コマンドを含む前記無線信号を解読すると、前記スイッチ要素をオフに切り替えて前記ＤＣ／ＤＣ変換回路と前記光源部との間の電路を開放することを特徴とする請求項１記載の点灯装置。
【請求項５】
前記ＤＣ／ＤＣ変換回路は、オン／オフを切り替えることで出力電圧を可変するスイッチング素子を有し、前記出力制御回路は、前記スイッチング素子の駆動周波数を小さくすることで前記ＤＣ／ＤＣ変換回路の出力電圧を抑制することを特徴とする請求項１乃至４の何れか１項に記載の点灯装置。
【請求項６】
前記ＤＣ／ＤＣ変換回路は、オン／オフを切り替えることで出力電圧を可変するスイッチング素子を有し、前記出力制御回路は、前記スイッチング素子の発振と停止とを間欠的に繰り返すことで前記ＤＣ／ＤＣ変換回路の出力電圧を抑制することを特徴とする請求項１乃至４の何れか１項に記載の点灯装置。
【請求項７】
前記ＤＣ／ＤＣ変換回路は、オン／オフを切り替えることで出力電圧を可変するスイッチング素子を有し、前記出力制御回路は、前記スイッチング素子のオンデューティ比を小さくすることで前記ＤＣ／ＤＣ変換回路の出力電圧を抑制することを特徴とする請求項１乃至４の何れか１項に記載の点灯装置。
【請求項８】
前記ＤＣ／ＤＣ変換回路は、オン／オフを切り替えることで出力電圧を可変するスイッチング素子を有し、前記出力制御回路は、前記スイッチング素子の動作周波数を小さくする手段、前記スイッチング素子の発振と停止とを間欠的に繰り返す手段、前記スイッチング素子のオンデューティ比を小さくする手段のうち少なくとも何れか２つの手段を組み合わせて前記ＤＣ／ＤＣ変換回路の出力電圧を抑制することを特徴とする請求項１乃至４の何れか１項に記載の点灯装置。
【請求項９】
前記直流電源回路は、前記ＤＣ／ＤＣ変換回路に対して出力する電圧を昇圧する昇圧チョッパ回路と、前記昇圧チョッパ回路の出力電圧を制御する昇圧チョッパ制御回路とを有し、
前記信号解読部は、前記光源部を消灯させる操作コマンドを含む前記無線信号を解読すると、前記昇圧チョッパ回路の出力電圧を抑制するように指令する指令信号を作成して前記昇圧チョッパ制御回路に送信し、
前記昇圧チョッパ制御回路は、前記指令信号を受信すると、前記昇圧チョッパ回路の出力電圧を抑制することを特徴とする請求項１乃至８の何れか１項に記載の点灯装置。
【請求項１０】
請求項１乃至９の何れか１項に記載の前記点灯装置と、前記光源部とを備えたことを特徴とする照明装置。
【発明の詳細な説明】
【技術分野】
【０００１】
本発明は、点灯装置及びそれを用いた照明装置に関する。
【背景技術】
【０００２】
従来から、交流電源に点灯装置を介してランプを接続し、点灯装置はマイコンにより制御され、マイコンにはリモコン信号を受信可能な受信部の出力信号が入力される照明装置が知られている。このような照明装置では、リモコン信号の到来を待ち受けるために、ランプが消灯状態においても、受信部とマイコンには電力が供給されて動作状態にあった。このときの待機電力を低減する照明装置が例えば特許文献１に開示されている。
【０００３】
この照明装置は、交流電源にスイッチ手段と点灯装置とを介してランプを接続し、点灯装置は出力側に接続されたマイコンにより制御され、マイコンにはリモコン信号を受信可能な第一受信部の出力信号が入力される。また、この照明装置は、交流電源にスイッチ手段を介さずに接続されてリモコン信号を受信可能な第二受信部と、その出力信号を増幅する増幅器とを備える。
【０００４】
この照明装置では、ランプが点灯状態であれば、スイッチ手段がオンに維持されて全ての回路部に電力が供給される。一方、ランプが消灯状態であれば、リモコン信号の到来を待ち受けるために第二受信部と増幅器には電力が供給されるが、スイッチ手段はオフに維持され、スイッチ手段の出力側に接続された回路部の待機電力が解消される。したがって、この照明装置では、ランプが消灯状態の場合の待機電力を低減することができる。
【０００５】
また、ランプの消灯操作時に点灯装置の待機電力を略０Ｗにできるように構成した照明装置が例えば特許文献２に開示されている。特許文献２に記載の照明装置は、点灯回路と、点灯回路を制御してランプの点灯制御を行うマイクロコンピュータと、第１のスイッチ部と、第２のスイッチ素子とを備える。第１のスイッチ部は、例えば照明器具の引き紐が引っ張られている間だけオンになるスイッチであり、第２のスイッチ素子は、オフにされるまでオン状態を維持し、オンにされるまでオフ状態を維持するスイッチである。
【０００６】
この照明装置では、ランプの消灯時に点灯のために引き紐が引っ張られた際、第１のスイッチ部が通電してマイクロコンピュータに電力を供給する。そして、マイクロコンピュータは、引き紐による消灯操作時に第２のスイッチ素子をオフにして待機電力を略０Ｗとする。
【０００７】
また、この照明装置は、受信したリモコン信号に基づいて第１のスイッチ部のオン／オフを操作するリモコン受信回路を備える。リモコン受信回路は、別電源からの電力の供給を受けて動作する。したがって、マイクロコンピュータに電力が供給されていないときにも、リモコン受信回路は別電源からの電力の供給を受けてリモコン信号の受信待機が行える。
【先行技術文献】
【特許文献】
【０００８】
【特許文献１】特開平１１−３０７２７２号公報
【特許文献２】特開２００９−４２０６号公報
【発明の概要】
【発明が解決しようとする課題】
【０００９】
しかしながら、特許文献１に記載の従来例では、ランプの点灯状態において用いる第一受信部と、ランプの消灯状態において用いる第二受信部とでリモコン受信部を２つ要するため、装置の構成が複雑になるという問題があった。また、特許文献２に記載の従来例では、リモコン受信回路は１つであるが、リモコン受信回路は別電源から電力の供給を受けて動作するものである。このため、主電源とは別に電源を要することから、装置の構成が複雑になるという問題があった。
【００１０】
本発明は、上記の点に鑑みて為されたもので、電源の数及びリモコン受信部の数を最小限にした簡易な構成を実現し且つ待機電力を低減することのできる点灯装置及びそれを用いた照明装置を提供することを目的とする。
【課題を解決するための手段】
【００１１】
本発明の点灯装置は、主電源となる交流電源からの交流電圧を変換して直流電圧を出力する直流電源回路と、前記直流電源回路の出力電圧を変換して発光素子を有する光源部に直流電圧を供給するＤＣ／ＤＣ変換回路と、前記ＤＣ／ＤＣ変換回路の出力電圧を制御する出力制御回路と、送信器からの前記光源部の点灯又は消灯を指示する操作コマンドを含む無線信号を受信するリモコン受信部と、受信した前記無線信号を解読する信号解読部とを備え、前記リモコン受信部及び前記信号解読部は、前記ＤＣ／ＤＣ変換回路の出力電圧を受けて動作し、前記信号解読部は、前記光源部を消灯させる操作コマンドを含む前記無線信号を解読すると、前記ＤＣ／ＤＣ変換回路の出力電圧を抑制するように指令する指令信号を作成して前記出力制御回路に送信し、前記出力制御回路は、前記指令信号を受信すると、前記リモコン受信部及び前記信号解読部が動作可能な程度まで前記ＤＣ／ＤＣ変換回路の出力電圧を抑制することを特徴とする。
【００１２】
この点灯装置において、前記出力制御回路は、前記指令信号を受信すると、前記各発光素子が点灯状態を維持可能な電圧よりも小さい電圧を前記光源部に供給するように前記ＤＣ／ＤＣ変換回路の出力電圧を抑制することが好ましい。
【００１３】
この点灯装置において、前記各発光素子は発光ダイオードであって、前記出力制御回路は、前記指令信号を受信すると、前記各発光素子のオン電圧の和の６０％よりも小さくなるように前記ＤＣ／ＤＣ変換回路の出力電圧を抑制することが好ましい。
【００１４】
この点灯装置において、前記ＤＣ／ＤＣ変換回路と前記光源部との間に直列に接続するスイッチ要素を備え、前記信号解読部は、前記光源部を消灯させる操作コマンドを含む前記無線信号を解読すると、前記スイッチ要素をオフに切り替えて前記ＤＣ／ＤＣ変換回路と前記光源部との間の電路を開放することが好ましい。
【００１５】
この点灯装置において、前記ＤＣ／ＤＣ変換回路は、オン／オフを切り替えることで出力電圧を可変するスイッチング素子を有し、前記出力制御回路は、前記スイッチング素子の駆動周波数を小さくすることで前記ＤＣ／ＤＣ変換回路の出力電圧を抑制することが好ましい。
【００１６】
この点灯装置において、前記ＤＣ／ＤＣ変換回路は、オン／オフを切り替えることで出力電圧を可変するスイッチング素子を有し、前記出力制御回路は、前記スイッチング素子の発振と停止とを間欠的に繰り返すことで前記ＤＣ／ＤＣ変換回路の出力電圧を抑制することが好ましい。
【００１７】
この点灯装置において、前記ＤＣ／ＤＣ変換回路は、オン／オフを切り替えることで出力電圧を可変するスイッチング素子を有し、前記出力制御回路は、前記スイッチング素子のオンデューティ比を小さくすることで前記ＤＣ／ＤＣ変換回路の出力電圧を抑制することが好ましい。
【００１８】
この点灯装置において、前記ＤＣ／ＤＣ変換回路は、オン／オフを切り替えることで出力電圧を可変するスイッチング素子を有し、前記出力制御回路は、前記スイッチング素子の動作周波数を小さくする手段、前記スイッチング素子の発振と停止とを間欠的に繰り返す手段、前記スイッチング素子のオンデューティ比を小さくする手段のうち少なくとも何れか２つの手段を組み合わせて前記ＤＣ／ＤＣ変換回路の出力電圧を抑制することが好ましい。
【００１９】
この点灯装置において、前記直流電源回路は、前記ＤＣ／ＤＣ変換回路に対して出力する電圧を昇圧する昇圧チョッパ回路と、前記昇圧チョッパ回路の出力電圧を制御する昇圧チョッパ制御回路とを有し、前記信号解読部は、前記光源部を消灯させる操作コマンドを含む前記無線信号を解読すると、前記昇圧チョッパ回路の出力電圧を抑制するように指令する指令信号を作成して前記昇圧チョッパ制御回路に送信し、前記昇圧チョッパ制御回路は、前記指令信号を受信すると、前記昇圧チョッパ回路の出力電圧を抑制することが好ましい。
【００２０】
本発明の照明装置は、上記何れかの点灯装置と、前記光源部とを備えたことを特徴とする。
【発明の効果】
【００２１】
本発明では、光源部を消灯する際に、リモコン受信部及び信号解読部が動作可能な程度までＤＣ／ＤＣ変換回路の出力電圧を抑制する。このため、本発明では、光源部の消灯時において動作に必要な電力のみをリモコン受信部に供給することができ、光源部の消灯時における待機電力を低減することができる。また、本発明では、複数のリモコン受信部や、主電源とは別の電源を必要とせず、電源の数及びリモコン受信部の数を最小限にした簡易な構成を実現することができる。
【図面の簡単な説明】
【００２２】
【図１】本発明に係る点灯装置の実施形態１を示す回路概略図である。
【図２】本発明に係る点灯装置の実施形態２を示す回路概略図である。
【図３】本発明に係る点灯装置の実施形態３を示す回路概略図である。
【図４】本発明に係る照明装置の実施形態を示す概略図である。
【発明を実施するための形態】
【００２３】
（実施形態１）
以下、本発明に係る点灯装置の実施形態１について図面を用いて説明する。本実施形態は、図１に示すように、入力コネクタＣＮ１と、出力コネクタＣＮ２と、直流電源回路１と、ＤＣ／ＤＣ変換回路２と、光源部３と、リモコン受信部４と、信号解読部５とを備える。
【００２４】
入力コネクタＣＮ１には、例えば商用電源ＡＣ１などの主電源となる交流電源を接続している。本実施形態では、入力コネクタＣＮ１に商用電源ＡＣ１を接続している。また、商用電源ＡＣ１と入力コネクタＣＮ１との間には、壁面などに設置するスイッチＳＷ１を接続している。このスイッチＳＷ１のオン／オフを切り替えることで、本実施形態の電源のオン／オフを切り替えることができる。また、入力コネクタＣＮ１には、電流ヒューズ（図示せず）及びフィルタ回路（図示せず）を介して直流電源回路１を接続している。
【００２５】
直流電源回路１は、４つのダイオードＤ１〜Ｄ４から成るダイオードブリッジＤＢ１と、平滑用コンデンサＣ１とを備える。直流電源回路１は、商用電源ＡＣ１から出力される交流電圧をダイオードブリッジＤＢ１で脈流電圧に変換する。そして、直流電源回路１は、脈流電圧を平滑用コンデンサＣ１で平滑化することで、直流電圧を出力する。直流電源回路１の出力端には、ＤＣ／ＤＣ変換回路２を接続している。
【００２６】
ＤＣ／ＤＣ変換回路２は、所謂フライバックコンバータであり、絶縁型のトランスＴ１と、スイッチング素子Ｑ１と、ダイオードＤ５と、コンデンサＣ２と、出力制御回路２０とを備える。スイッチング素子Ｑ１は、トランスＴ１の１次側の第１巻線Ｎ１に直列に接続している。また、ダイオードＤ５は、トランスＴ１の２次側の第２巻線Ｎ２に直列に接続している。ダイオードＤ５は、スイッチング素子Ｑ１がオフ状態のときにトランスＴ１の蓄積エネルギーを光源部３へと放出する回生ダイオードとして働く。コンデンサＣ２は、トランスＴ１の第２巻線Ｎ２に並列に接続している。コンデンサＣ２は、スイッチング素子Ｑ１のオン／オフによりトランスＴ１の２次側に出力される脈流成分を平滑化し、光源部３に直流電流が流れるように容量を設定している。ＤＣ／ＤＣ変換回路２の出力端には、出力コネクタＣＮ２を介して光源部３を接続している。
【００２７】
出力制御回路２０は、汎用のＩＣやマイコン等から成る。本実施形態では、出力制御回路２０をマイコンで構成している。出力制御回路２０は、数十ｋＨｚ以上の高周波数でスイッチング素子Ｑ１のオン／オフを制御することにより、ＤＣ／ＤＣ変換回路２の出力電圧を制御する。なお、出力制御回路２０は、第１電源回路６からの電源電圧の供給を受けて動作する。
【００２８】
第１電源回路６は、起動抵抗Ｒ１と、抵抗Ｒ２及びダイオードＤ６の直列回路と、コンデンサＣ３とを備える。抵抗Ｒ２及びダイオードＤ６の直列回路は、トランスＴ１の１次側の第３巻線Ｎ３と接続している。また、コンデンサＣ３は、出力制御回路２０の電源ピンに接続している。したがって、第１電源回路６は、起動抵抗Ｒ１、又は抵抗Ｒ２及びダイオードＤ６の直列回路を介して流れる電流によりコンデンサＣ３を充電し、出力制御回路２０に電源電圧を供給する。
【００２９】
光源部３は、発光ダイオード（以下、「ＬＥＤ」と呼ぶ）等の発光素子から成る。本実施形態の光源部３は、複数のＬＥＤ３０を直列に接続して構成している。勿論、光源部３は、複数のＬＥＤ３０を並列に接続して構成してもよいし、複数のＬＥＤ３０の直列回路を並列に接続して構成してもよい。光源部３は、ＤＣ／ＤＣ変換回路２から供給される直流電圧を受けて点灯する。
【００３０】
リモコン受信部４は、赤外線や電波等を送波する送信器ＲＣ１からの無線信号を受信する。リモコン受信部４は、受信した無線信号を信号解読部５に送信する。信号解読部５は、マイコンを主構成要素として構成され、リモコン受信部４からの無線信号を解読する。そして、信号解読部５は、無線信号に含まれる操作コマンドを解読して指令信号を作成し、フォトカプラＰＣ１を介して出力制御回路２０に指令信号を送信する。なお、リモコン受信部４及び信号解読部５は、第２電源回路６からの電源電圧の供給を受けて動作する。
【００３１】
第２電源回路７は、ダイオードＤ７と、平滑用のコンデンサＣ４，Ｃ５と、定電圧回路７０とを備える。ダイオードＤ７及びコンデンサＣ４は、トランスＴ１の２次側の第４巻線Ｎ４に誘起される出力電圧を整流し且つ平滑化する。定電圧回路７０は、入力電圧であるコンデンサＣ４の両端間の電圧を、一定電圧（例えば、５Ｖ）として出力する。コンデンサＣ５は、リモコン受信部４と、信号解読部５の電源ピンとに接続しており、各部に電源電圧を供給する。
【００３２】
以下、本実施形態の動作について説明する。先ず、スイッチＳＷ１を操作して電源を投入する場合の動作について説明する。電源を投入すると、第１電源回路６は、起動抵抗Ｒ１及びコンデンサＣ３を介して出力制御回路２０に電源電圧を供給する。その後、出力制御回路２０は、スイッチング素子Ｑ１に駆動信号を供給することで、スイッチング素子Ｑ１のオン／オフを高周波数で制御する。以下、この制御を「通常モード」と呼ぶ。これにより、ＤＣ／ＤＣ変換回路２が動作して点灯に必要な直流電圧が光源部３に供給され、光源部３が点灯する。
【００３３】
なお、ＤＣ／ＤＣ変換回路２が動作を開始すると、第１電源回路６は、トランスＴ１の３次巻線Ｎ３、抵抗Ｒ２、ダイオードＤ６を介して出力制御回路２０に電源電圧を供給する。また、ＤＣ／ＤＣ変換回路２の動作の開始に伴って第２電源回路７も動作し、リモコン受信部４及び信号解読部５に電源電圧を供給する。
【００３４】
次に、光源部３が点灯している状態において、送信器ＲＣ１を操作して光源部３を消灯させる場合の動作について説明する。送信器ＲＣ１は、例えばオフ釦（図示せず）を押操作することで、光源部３を消灯させる操作コマンドを含む無線信号を送信する。リモコン受信部４は、この無線信号を受信すると、受信した無線信号を信号解読部５に送信する。信号解読部５は、受信した無線信号に含まれる操作コマンドを解読し、出力制御回路２０が出力抑制モードに移行するように指令する指令信号を作成する。そして、信号解読部５は、作成した指令信号をフォトカプラＰＣ１を介して出力制御回路２０に送信する。
【００３５】
出力制御回路２０は、指令信号を受信すると出力抑制モードへと移行し、ＤＣ／ＤＣ変換回路２の出力電圧を抑制するようにスイッチング素子Ｑ１を駆動制御する。これにより、光源部３は点灯状態を維持できなくなり、消灯する。なお、本実施形態では、既に述べたように、複数のＬＥＤ３０を直列に接続して光源部３を構成している。そして、本願の発明者等は、ＤＣ／ＤＣ変換回路２の出力電圧が、各ＬＥＤ３０の順方向電圧（オン電圧）の和の６０％を下回ると、各ＬＥＤ３０が点灯状態を維持できずに消灯することを実験により確かめている。したがって、本実施形態の出力制御回路２０は、ＤＣ／ＤＣ変換回路２の出力電圧が、各ＬＥＤ３０の順方向電圧（オン電圧）の和の６０％よりも低くなるように制御する。
【００３６】
一方、ＤＣ／ＤＣ変換回路２は、光源部３は点灯できないがリモコン受信部４及び信号解読部５が動作可能な電圧を出力しているので、リモコン受信部４及び信号解読部５には、第２電源回路７を介して十分な電源電圧を供給することができる。したがって、リモコン受信部４及び信号解読部５は、光源部３が消灯している状態では、電源電圧を受け続けて送信器ＲＣ１からの無線信号を受信するまで待機する。
【００３７】
なお、ＤＣ／ＤＣ変換回路２の出力電圧を抑制する手段としては、スイッチング素子Ｑ１の駆動周波数を小さくする、スイッチング素子Ｑ１のオンデューティ比を小さくする、スイッチング素子Ｑ１の発振と停止とを間欠的に繰り返す等がある。勿論、上記の手段を組み合わせてＤＣ／ＤＣ変換回路２の出力電圧を抑制するように構成してもよい。
【００３８】
最後に、光源部３が消灯している状態において、送信器ＲＣ１を操作して光源部３を点灯させる場合の動作について説明する。送信器ＲＣ１は、例えばオン釦（図示せず）を押操作することで、光源部３を点灯させる操作コマンドを含む無線信号を送信する。リモコン受信部４は、この無線信号を受信すると、受信した無線信号を信号解読部５に送信する。信号解読部５は、受信した無線信号に含まれる操作コマンドを解読し、出力制御回路２０が通常モードに移行するように指令する指令信号を作成する。そして、信号解読部５は、作成した指令信号をフォトカプラＰＣ１を介して出力制御回路２０に送信する。
【００３９】
出力制御回路２０は、指令信号を受信すると通常モードへと移行し、ＤＣ／ＤＣ変換回路２の出力抑制を停止し、スイッチング素子Ｑ１のオン／オフを高周波数で制御する。これにより、点灯に必要な直流電圧が光源部３に供給され、光源部３が点灯する。
【００４０】
上述のように、本実施形態では、光源部３を消灯する際に、リモコン受信部４及び信号解読部５が動作可能な程度までＤＣ／ＤＣ変換回路２の出力電圧を抑制している。このため、本実施形態では、光源部３の消灯時において動作に必要な電力のみをリモコン受信部４に供給することができ、光源部３の消灯時における待機電力を低減することができる。また、本実施形態では、複数のリモコン受信部４や、主電源（商用電源ＡＣ１）とは別の電源を必要とせず、電源の数及びリモコン受信部４の数を最小限にした簡易な構成を実現することができる。
【００４１】
なお、本実施形態では、ＤＣ／ＤＣ変換回路２の出力電圧を抑制することで光源部３を消灯しているが、他の手段を用いて光源部３を消灯してもよい。例えば、光源部３に直列にスイッチ要素（図示せず）を接続し、当該スイッチ要素をオフに切り替えることで、ＤＣ／ＤＣ変換回路２と光源部３との間の電路を開放して光源部３を消灯してもよい。
【００４２】
以下、この構成における動作について簡単に説明する。光源部３が点灯している状態において、送信器ＲＣ１からの光源部３の消灯させる操作コマンドを含む無線信号をリモコン受信部４が受信すると、信号解読部５は、スイッチ要素をオフに切り替える。これにより、ＤＣ／ＤＣ変換回路２と光源部３との間の電路が開放され、光源部３が消灯する。一方、光源部３が消灯している状態において、送信器ＲＣ１からの光源部３を点灯させる操作コマンドを含む無線信号をリモコン受信部４が受信すると、信号解読部５は、スイッチ要素をオンに切り替える。これにより、ＤＣ／ＤＣ変換回路２と光源部３との間の電路が閉成し、光源部３が点灯する。
【００４３】
（実施形態２）
以下、本発明に係る点灯装置の実施形態２について図面を用いて説明する。但し、本実施形態の基本的な構成は実施形態１と共通であるので、共通する部位には同一の番号を付して説明を省略する。本実施形態は、図２に示すように、ＤＣ／ＤＣ変換回路２を非絶縁型のＤＣ／ＤＣコンバータである降圧チョッパ回路で構成している。
【００４４】
ＤＣ／ＤＣ変換回路２は、インダクタＬ１と、ダイオードＤ５と、コンデンサＣ２と、スイッチング素子Ｑ１と、出力制御回路２０とを備える。インダクタＬ１は、スイッチング素子Ｑ１を介して光源部３に直列に接続している。また、ダイオードＤ５は、スイッチング素子Ｑ１がオフ状態のときにインダクタＬ１の蓄積エネルギーを光源部３へと放出する回生ダイオードとして働く。コンデンサＣ２は、光源部３に並列に接続している。コンデンサＣ２は、スイッチング素子Ｑ１のオン／オフによる脈流成分を平滑化し、光源部３に直流電流が流れるように容量を設定している。
【００４５】
なお、本実施形態の第１電源回路６では、抵抗Ｒ２及びダイオードＤ６の直列回路をインダクタＬ１の第１補助巻線Ｎ１０に接続している。したがって、本実施形態では、ＤＣ／ＤＣ変換回路２が動作を開始すると、第１電源回路６は、第１補助巻線Ｎ１０、抵抗Ｒ２、ダイオードＤ６を介して出力制御回路２０に電源電圧を供給する。また、本実施形態の第２電源回路７では、ダイオードＤ７及びコンデンサＣ４は、インダクタＬ１の第２補助巻線Ｎ２０に誘起される出力電圧を整流し且つ平滑化する。
【００４６】
また、本実施形態の信号解読部５は、フォトカプラＰＣ１を介さずに指令信号を出力制御回路２０に送信する。なお、本実施形態の動作は実施形態１の動作と同じであるので、ここでは説明を省略する。
【００４７】
上述のように、ＤＣ／ＤＣ変換回路２を非絶縁型のＤＣ／ＤＣコンバータである降圧チョッパ回路で構成した本実施形態でも、実施形態１と同様の効果を奏することができる。
【００４８】
（実施形態３）
以下、本発明に係る点灯装置の実施形態３について図面を用いて説明する。但し、本実施形態の基本的な構成は実施形態１と共通であるので、共通する部位には同一の番号を付して説明を省略する。本実施形態は、図３に示すように、直流電源回路１をダイオードブリッジＤＢ１と、昇圧チョッパ回路ＢＣ１と、平滑用コンデンサＣ１とで構成している。
【００４９】
昇圧チョッパ回路ＢＣ１は、インダクタＬ２と、スイッチング素子Ｑ２と、ダイオードＤ８と、コンデンサＣ１と、昇圧チョッパ制御回路１０とを備える。ダイオードＤ８は、スイッチング素子Ｑ２がオフ状態のときにインダクタＬ２の蓄積エネルギーをＤＣ／ＤＣ変換回路２へと放出する回生ダイオードとして働く。
【００５０】
昇圧チョッパ制御回路１０は、汎用のＩＣやマイコン等から成る。本実施形態では、昇圧チョッパ制御回路１０をマイコンで構成している。昇圧チョッパ制御回路１０は、数十ｋＨｚ以上の高周波数でスイッチング素子Ｑ２のオン／オフを制御することにより、直流電源回路１の出力電圧を昇圧制御する。
【００５１】
ここで、本実施形態の第１電源回路６は、昇圧チョッパ制御回路１０の電源ピンに接続したコンデンサＣ６を備える。そして、第１電源回路６は、起動抵抗Ｒ１、又は抵抗Ｒ２及びダイオードＤ６の直列回路を介して流れる電流によりコンデンサＣ６を充電し、昇圧チョッパ制御回路１０に電源電圧を供給する。また、本実施形態の信号解読部５は、フォトカプラＰＣ１を介して出力制御回路２０に指令信号を送信するとともに、フォトカプラＰＣ２を介して昇圧チョッパ制御回路１０にも指令信号を送信する。
【００５２】
以下、本実施形態の動作について説明する。なお、本実施形態の動作は基本的に実施形態１の動作と同じであるので、共通する点については説明を省略する。先ず、スイッチＳＷ１を操作して電源を投入する場合の動作について説明する。電源を投入すると、第１電源回路６は、起動抵抗Ｒ１及びコンデンサＣ３，Ｃ６を介して出力制御回路２０及び昇圧チョッパ制御回路１０に電源電圧を供給する。これにより、昇圧チョッパ回路ＢＣ１及びＤＣ／ＤＣ変換回路２が動作して点灯に必要な直流電圧が光源部３に供給され、光源部３が点灯する。
【００５３】
なお、昇圧チョッパ回路ＢＣ１及びＤＣ／ＤＣ変換回路２が動作を開始すると、第１電源回路６は、トランスＴ１の３次巻線Ｎ３、抵抗Ｒ２、ダイオードＤ６を介して出力制御回路２０及び昇圧チョッパ制御回路１０に電源電圧を供給する。
【００５４】
次に、光源部３が点灯している状態において、送信器ＲＣ１を操作して光源部３を消灯させる場合の動作について説明する。リモコン受信部４は、光源部３を消灯させる操作コマンドを含む無線信号を受信すると、受信した無線信号を信号解読部５に送信する。信号解読部５は、受信した無線信号に含まれる操作コマンドを解読し、出力制御回路２０及び昇圧チョッパ制御回路１０が出力抑制モードに移行するように指令する指令信号を作成する。そして、信号解読部５は、作成した指令信号をフォトカプラＰＣ１，ＰＣ２を介して出力制御回路２０及び昇圧チョッパ制御回路１０にそれぞれ送信する。
【００５５】
出力制御回路２０は、指令信号を受信すると出力抑制モードへと移行し、ＤＣ／ＤＣ変換回路２の出力電圧を抑制するようにスイッチング素子Ｑ１を駆動制御する。これにより、光源部３は点灯状態を維持できなくなり、消灯する。
【００５６】
また、昇圧チョッパ制御回路１０は、指令信号を受信すると出力抑制モードへと移行し、直流電源回路１の出力電圧を抑制するようにスイッチング素子Ｑ２を駆動制御する。これにより、ＤＣ／ＤＣ変換回路２へ供給する電圧を低くすることができるため、出力を抑制しない場合と比較して、光源部３の消灯時における待機電力をより低減することができる。なお、昇圧チョッパ制御回路１０は、出力抑制モードにおいてスイッチング素子Ｑ２をオフに切り替え、昇圧チョッパ制御を停止するように構成してもよい。
【００５７】
最後に、光源部３が消灯している状態において、送信器ＲＣ１を操作して光源部３を点灯させる場合の動作について説明する。リモコン受信部４は、光源部３を点灯させる操作コマンドを含む無線信号を受信すると、受信した無線信号を信号解読部５に送信する。信号解読部５は、受信した無線信号に含まれる操作コマンドを解読し、出力制御回路２０及び昇圧チョッパ制御回路１０が通常モードに移行するように指令する指令信号を作成する。そして、信号解読部５は、作成した指令信号をフォトカプラＰＣ１，ＰＣ２を介して出力制御回路２０及び昇圧チョッパ制御回路１０にそれぞれ送信する。
【００５８】
出力制御回路２０は、指令信号を受信すると通常モードへと移行し、ＤＣ／ＤＣ変換回路２の出力抑制を停止し、スイッチング素子Ｑ１のオン／オフを高周波数で制御する。また、昇圧チョッパ制御回路１０は、指令信号を受信すると通常モードへと移行し、直流電源回路１の出力抑制を停止、スイッチング素子Ｑ２のオン／オフを高周波数で制御する。これにより、点灯に必要な直流電圧が光源部３に供給され、光源部３が点灯する。
【００５９】
上述のように、本実施形態では、昇圧チョッパ回路ＢＣ１を含めて直流電源回路１を構成している。これにより、商用電源ＡＣ１からの入力電流を正弦波に近付けて力率を改善することができる。
【００６０】
以下、本発明に係る照明装置の実施形態について図面を用いて説明する。なお、以下の説明では、図４における上下を上下方向と定めるものとする。また、本実施形態における点灯装置Ａ１は、上記何れかの実施形態の点灯装置を用いるものとする。本実施形態は、図４に示すように、電源部及び点灯装置Ａ１を光源部３とは別に配置した電源別置型の照明器具であって、光源部３を収納する器具本体８を天井１００に埋込配設している。このため、光源部３を含む器具本体８を薄型にすることができ、別置型の電源ユニットとしての点灯装置Ａ１は、場所に依らず設置可能となっている。
【００６１】
器具本体８は、金属製であって、下端部を開口した有底円筒状に形成している。器具本体８内側の上底部には、複数（図示では３つ）のＬＥＤ３０と、各ＬＥＤ３０の直列回路を実装した基板３１とを備えた光源部３を配設している。なお、各ＬＥＤ３０は、器具本体８の下端部から外部空間に光を照射するために、光の照射向きが下向きとなるように配設している。また、器具本体８の下端部の開口には、各ＬＥＤ３０からの光を拡散する光拡散板８０を設けている。天井１００の裏面（上面）には、点灯装置Ａ１を器具本体８とは別の場所に配設しており、点灯装置Ａ１と光源部３との間は、コネクタ８２を介してリード線８１で配線している。
【００６２】
本実施形態では、点灯装置Ａ１のリモコン受信部４として赤外線ＬＥＤ（図示せず）等の赤外線検知式の受信ユニットを用いている。このため、リモコン受信部４を天井１００の表面（下面）よりも外側に露出するように配置している。なお、リモコン受信部４として電波検知式の受信ユニットを用いる場合には、リモコン受信部４を点灯装置Ａ１の内部に収納することができる。
【００６３】
上述のように、本実施形態では、上記何れかの実施形態の点灯装置Ａ１を用いることで、上記何れかの実施形態と同様の効果を奏することができる。なお、本実施形態は、電源部及び点灯装置Ａ１を光源部３とは別に配置した電源別置型の照明器具であるが、点灯装置Ａ１を光源部３とともに器具本体８に内蔵した電源一体型の照明器具として構成してもよい。
【００６４】
なお、上記何れかの実施形態の点灯装置Ａ１は、上記のような照明器具に用途が限定される必要はなく、例えば液晶ディスプレイのバックライトや、複写機、スキャナ、プロジェクタ等の装置の光源の点灯装置として利用しても構わない。また、上記各実施形態では、光源部３を構成する発光素子として発光ダイオードを用いているが、これに限定される必要はなく、例えば有機ＥＬ素子や半導体レーザ素子を発光素子として用いてもよい。
【符号の説明】
【００６５】
１  直流電源回路
２  ＤＣ／ＤＣ変換回路
２０  出力制御回路
３  光源部
３０  発光ダイオード（発光素子）
４  リモコン受信部
５  信号解読部
ＡＣ１  商用電源（交流電源）
ＲＣ１  送信器
【図１】
2014013698.tif 000003
【図２】
2014013698.tif 000004
【図３】
2014013698.tif 000005
【図４】
2014013698.tif 000006